(57)【要約】【課題】回転軸筒と前後動するスプ−ル軸との同芯度を高精度に出し易くすると共に大型化を防止した魚釣用スピニングリ−ルを提供することである。【解決手段】リ−ル本体１の前側の支持部１ａ内の軸受１２で回転軸筒３の前側が回転自在に支持され、リ−ル本体１内の軸受部１ｂ内に嵌合された軸受１３で回転軸筒３の小径の後端部３ａ後側細小径部３ｂと支持部材４の小径部４ｂが回転自在に支持されている。回転軸筒３の中心にはスプ−ル軸２０の外径より大径の中心孔３ｄが形成され、回転軸筒３の前側に取り付けられた前側支持体６で軸受１９が支持され、支持部材４の透孔４ｃと軸受１９でスプ−ル軸２０が前後往復動可能に摺動自在に支持されている。【選択図】        図３
2004261076.tif 000002
【特許請求の範囲】
【請求項１】
ハンドルの回転に連動回転かるピニオンを有し釣糸案内部を有するロ−タと一体回転する回転軸筒をリ−ル本体に回転可能に支持すると共に、先端部にスプ−ルを有するスプ−ル軸を前記回転軸筒内に挿通して前後移動可能とした魚釣用スピニングリ−ルにおいて、前記回転軸筒の後端部を支持する軸受によつて支持された支持部材で前記スプ−ル軸の外周を前後動可能に摺動支持したことを特徴とする魚釣用スピニングリ−ル。
【発明の詳細な説明】
【０００１】
【発明の属する技術分野】
本発明は、ロ−タと一体回転する回転軸筒と該回転軸筒内を前後動する先端にスプ−ルを有するスプ−ル軸の支持構造を改良した魚釣用スピニングリ−ルの改良に関する。
【０００２】
【従来の技術】
先端にスプ−ルを有するスプ−ル軸は、ハンドルで連動回転する回転軸筒の内周を摺動しながら前後動する支持構成となっていることより、巻き取り操作時に回転軸筒との間に摩擦抵抗を生じてしまい、長期間の使用で摩耗して良好な巻き取り性能を維持できなくなったり、巻き取り時の強負荷によっては偏摩耗の原因になったり、油の潤滑性が悪いと巻き取り操作時に食い付きや焼き付き現象が生じたり等の不具合が生じる。
そこで、回転軸筒の内周とスプ−ル軸の外周が直接接触しないように若干の隙間が形成されるように回転軸筒の前後のスプ−ル軸を軸受支持したものが、従来から知られている。（例えば、特許文献１参照）
【０００３】
【特許文献１】
特開２００１−１９０１９３号公報
【０００４】
この構成は、ピニオンを有する回転軸筒の前側軸受と後側軸受で回転軸筒の内周面に接触しないようにスプ−ル軸を前後摺動自在に軸受支持するリ−ル本体に形成された後側軸受を、回転軸筒を支持するリ−ル本体の軸受と分離配置した構造となっている。
【０００５】
【発明が解決しようとする課題】
解決しようとする問題点は、特許文献１のように回転軸筒の内周とスプ−ル軸の外周が直接接触せずに夫々が独立して支持されているので、従来のようなスプ−ル軸と回転軸筒の摺動摩擦抵抗の影響を受けることがなく巻き取り操作性は向上する。
しかしながら、リ−ル本体に設けられるスプ−ル軸を支持する後側軸受と回転軸筒の後端部を支持する軸受とが分離されて夫々支持されているので、回転する回転軸筒と前後動するスプ−ル軸との同芯度を高精度に出し難く、円滑な回転軸筒の回転及びスプ−ル軸の前後動性能が得られ難い。
又、両軸受が軸方向に分離配置されているので、軸受部分が軸方向に大きくなってリ−ル本体が大型化してしまう。
ことである。
【０００６】
本発明の目的は前記欠点に鑑み、回転軸筒と前後動するスプ−ル軸との同芯度を高精度に出し易くすると共に大型化を防止した魚釣用スピニングリ−ルを提供することである。
【０００７】
【課題を解決するための手段】
上記課題を解決するために、
請求項１に係わる本発明は、ハンドルの回転に連動回転かるピニオンを有し釣糸案内部を有するロ−タと一体回転する回転軸筒をリ−ル本体に回転可能に支持すると共に、先端部にスプ−ルを有するスプ−ル軸を前記回転軸筒内に挿通して前後移動可能とした魚釣用スピニングリ−ルにおいて、前記回転軸筒の後端部を支持する軸受によつて支持された支持部材で前記スプ−ル軸の外周を前後動可能に摺動支持したことを要旨とするものである。
【０００８】
【発明の実施の形態】
請求項１の本発明により、回転軸筒３の後端部３ａ後側の細小径部３ｂを支持する軸受１３によって支持された支持部材４でスプ−ル軸２０の後端側外周を前後動可能に摺動支持する構成としたので、回転する回転軸筒３と前後動するスプ−ル軸２０との同芯度が高精度に出し易く、円滑な回転軸筒３の回転及びスプ−ル軸２０の前後動性能が得られると共に、回転軸筒３の後端部３ａ後側の細小径部３ｂとスプ−ル軸２０の後端側外周を支持する支持部材４が軸方向に集約化されるので、リ−ル本体１が軸方向に大型化するのが防止できる。
【０００９】
【実施例】
以下、図示の実施例によって本発明を説明すると、図１から図３は第１実施例で、図１は魚釣用スピニングリ−ルの要部断面側面図、図２は図１の要部拡大断面側面図、図３は図２の要部拡大断面側面図である。
【００１０】
魚釣用スピニングリ−ルは、リ−ル本体１と図示しない蓋体で保持された図示しない軸受で駆動歯車２の駆動軸２ａが軸承されて駆動軸２ａの中心多角形孔２ｂにハンドル１０が固定されたハンドル軸１１が左右交換自在に挿入嵌合されている。
リ−ル本体１の前側の支持部１ａ内の軸受１２で回転軸筒３の前側が回転自在に支持され、リ−ル本体１内の軸受部１ｂ内に嵌合された軸受１３で回転軸筒３の小径の後端部３ａの更に細い細小径部３ｂが回転自在に支持されると共に軸受１３の内側に支持部材４が嵌合されている。
支持部材４は大径部４ａと小径部４ｂで断面凸字状に形成されると共に中心に透孔４ｃが穿設されている。
支持部材４の小径部４ｂは回転軸筒３の細小径部３ｂと同径に形成されて細小径部３ｂと小径部４ｂの外周に軸受１３が嵌合されている。
【００１１】
回転軸筒３の後端部３ａの前側に一体的にピニオン３ｃが形成されて駆動歯車２に噛合されている。
ピニオン３ｃの前側の回転軸筒３外周に連動歯車１４が回り止め嵌合されている。
軸受１２より前側の回転軸筒３外周に逆転防止爪車１５とロ−タ５の中心筒部５ａが回り止め嵌合されて回転軸筒３の前端に螺合されたナット１６で取り付けられている。
ロ−タ５の前壁５ｂにカップ状の前側支持体６がビス１７で取り付けられている。
前側支持体６の中にはナット１６の収容室６ａとワッシャ１８と軸受１９が収容される収容室６ｂと中心方向に向かう鍔部６ｃが形成されている。
【００１２】
回転軸筒３の中心にはスプ−ル軸２０の外径より大径の中心孔３ｄが形成され、支持部材４の透孔４ｃと軸受１９で先端にスプ−ル２１が取り付けられたスプ−ル軸２０が前後往復動可能に摺動自在に挿入されている。
スプ−ル軸２０の後端回り止め部２０ａには摺動体７が嵌合されてビス２２で取り付けられている。
リ−ル本体１内にはスプ−ル軸２０と平行に往復動装置Ａのトラバ−スカム軸２３が軸受部１ｂの透孔１ｃとリ−ル本体１の後側壁１ｄの透孔１ｅに嵌合されて後側壁１ｄの前側のトラバ−スカム軸２３にはＥリング２４が嵌められて抜け止めされている。
【００１３】
トラバ−スカム軸２３の前端には小歯車２４が取り付けられて小歯車２４は連動歯車１４に噛合されている。
トラバ−スカム軸２３には摺動体７が嵌合されて図示しない係合子の爪がトラバ−スカム軸２３のカム溝２３ａに係合されている。
トラバ−スカム軸２３とは平行に案内杆２５がリ−ル本体１の軸受部１ｂと後側壁１ｄの間に架設されている。
【００１４】
摺動体７にはスプ−ル軸２０の後端回り止め部２０ａが嵌合されるＤ孔７ａとトラバ−スカム軸２３が挿通される透孔７ｂと案内杆２５が挿通される透孔７ｃが穿設されている。
逆転防止爪車１５には逆転防止爪２６が係脱自在に臨まされている。
リ−ル本体１に回動自在に取り付けられた操作杆２７の前側にカム２８が取り付けられ逆転防止爪２６が操作される。
リ−ル本体１の後側外部に突出した操作杆２７に操作ツマミ２９が取り付けられている。
【００１５】
ロ−タ５は中心筒部５ａで回転軸筒３に取り付けられ、筒部５ａと前壁５ｂと大径の筒部５ｃと大径の筒部５ｃの基部の外周から前方に向けて突出された一対の支持腕５ｄ、５ｅとで形成されて支持腕５ｄに一方のベ−ル支持部材３０がビス３１で止められ、支持腕５ｅに他方のベ−ル支持部材３２がビスで止められて釣糸巻取位置と図示しない釣糸放出位置に反転自在に軸承されている。
一方のベ−ル支持部材３０には釣糸案内ロ−ラの取付部３３が取り付けられている。
他方のベ−ル支持部材３２と釣糸案内ロ−ラの取付部３３の間に図示しないベ−ルが取り付けられている。
リ−ル本体１のリ−ル脚部１ｆには一方のベ−ル支持部材３０が放出状態にある時衝接される衝接部材３４が突出して設けられている。
【００１６】
前記魚釣用スピニングリ−ルの動作は、図示しない釣糸がスプ−ル２１に巻回される方向にハンドル１０が回転されると、駆動歯車２が回転されてピニオン３ｃを介して回転軸筒３とロ−タ５が正回転される。
更に連動歯車１４と小歯車２４が噛合されてトラバ−スカム軸２３が連動回転されて摺動体７とスプ−ル軸２０とスプ−ル２１が前後に往復動される。
釣糸がスプ−ル２１に巻回される時は、一方のベ−ル支持部材３０に設けられた釣糸案内ロ−ラで釣糸が案内されて前後に往復動されてスプ−ル２１に平行に巻回される。
ロ−タ５が逆回転防止される時は、操作ツマミ２９と操作杆２７と逆転防止爪２６が回動されて逆転防止爪２６が逆転防止爪車１５に係合される。
スプ−ル軸２０が前後に往復動される時、スプ−ル軸２０は前側の軸受１９と支持部材４の透孔４ｃに前後に摺動自在に嵌合され、回転軸筒３とは非接触の状態で支持されている。
【００１７】
前記のように魚釣用スピニングリ−ルが構成されると、回転軸筒３の後端部３ａ後側の細小径部３ｂを支持する軸受１３によって支持された支持部材４でスプ−ル軸２０の後端側外周を前後動可能に摺動支持する構成としたので、回転する回転軸筒３と前後動するスプ−ル軸２０との同芯度が高精度に出し易く、円滑な回転軸筒３の回転及びスプ−ル軸２０の前後動性能が得られると共に、回転軸筒３の後端部３ａ後側の細小径部３ｂとスプ−ル軸２０の後端側外周を支持する支持部材４が軸方向に集約化されるので、リ−ル本体１が軸方向に大型化するのが防止できる。
【００１８】
図４は第２実施例で、図４は魚釣用スピニングリ−ルの要部拡大断面側面図である。
【００１９】
第２実施例では、リ−ル本体１の前側の支持部１ａ内の軸受１２で回転軸筒３の前側が回転自在に支持され、回転軸筒３の小径の後端部３ａの後側に肉厚の薄い細小径部３ｂが形成されている。
リ−ル本体１内の軸受部１ｂ内に嵌合された軸受１３に支持部材４′が嵌合されている。
支持部材４′は大径部４ａと小径部４ｂで断面凸字状に形成されると共に中心に透孔４ｃが穿設されている。
更に小径部４ｂと透孔４ｃの間に前側に開口した周溝４ｄが形成されている。軸受１３は小径部４ｂの外周に嵌合され、周溝４ｄに回転軸筒３の細小径部３ｂが嵌合されて透孔４ｃにスプ−ル軸２０の後端側外周が嵌合されると共に前後動可能に摺動支持されている。
他の構成は前記第１実施例と略同一である。
【００２０】
【発明の効果】
本発明は、以上説明したような形態で実施され、以下に記載されるような効果を奏する。
【００２１】
請求項１により、回転軸筒の後端部後側の細小径部を支持する軸受によって支持された支持部材でスプ−ル軸の後端側外周を前後動可能に摺動支持する構成としたので、回転する回転軸筒と前後動するスプ−ル軸との同芯度が高精度に出し易く、円滑な回転軸筒の回転及びスプ−ル軸の前後動性能が得られると共に、回転軸筒の後端部後側の細小径部とスプ−ル軸の後端側外周を支持する支持部材が軸方向に集約化されるので、リ−ル本体が軸方向に大型化するのが防止できる。
【図面の簡単な説明】
【図１】第１実施例で、魚釣用スピニングリ−ルの要部断面側面図である。
【図２】同図１の要部拡大断面側面図である。
【図３】同図２の要部拡大断面側面図である。
【図４】
第２実施例で、魚釣用スピニングリ−ルの要部拡大断面側面図である。
【符号の説明】
１  リ−ル本体
２  駆動歯車
３ｃ  ピニオン
３  回転軸筒
３ａ  後端部
４、４′  支持部材
５  ロ−タ
１０  ハンドル
１３  軸受
２０  スプ−ル軸
【図１】
2004261076.tif 000003
【図２】
2004261076.tif 000004
【図３】
2004261076.tif 000005
【図４】
2004261076.tif 000006